【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
ユーザ入力を受け入れるためのシステムであって、
複数のスイッチと、
前記複数のスイッチに結合される圧力部材であって、圧力部材は複数のセクションを有し、前記複数のセクションの各セクションは前記複数のスイッチのうちの１つのスイッチに関連付けられる、圧力部材とを備え、
前記圧力部材は前記複数のスイッチに関連して配置され、前記複数のセクションのうちの１つにユーザによって力が加えられるとき、前記圧力部材は、結果として生成された力を、前記複数のセクションのうちの前記１つに関連付けられるスイッチに伝達し、それにより、前記複数のセクションのうちの前記１つに関連付けられる前記スイッチを作動させるようにする、システム。
【請求項２】
ディスプレイをさらに備え、前記ディスプレイは少なくとも１つの入力オプションを表示し、前記圧力部材の前記複数のセクションのうちの少なくとも１つが、表示される前記少なくとも１つの入力オプションに空間的に関連付けられる請求項１に記載のシステム。
【請求項３】
前記圧力部材の少なくとも一部は光学的に透過性であり、前記圧力部材はさらに、前記ディスプレイが前記圧力部材を通して見えるように前記ディスプレイの前面に配置され、前記複数のスイッチはさらに、前記ディスプレイに近接して位置し、表示される前記少なくとも１つの入力オプションは前記圧力部材を通して見える請求項２に記載のシステム。
【請求項４】
前記システムが自動車内で動作する請求項３に記載のシステム。
【請求項５】
前記システムが自動車内で動作する請求項１に記載のシステム。
【請求項６】
前記システムがメディアプレーヤの１つの構成要素として動作する請求項１に記載のシステム。
【請求項７】
前記複数のセクションの前記少なくとも１つは触覚要素を有し、前記触覚要素は、ユーザが前記圧力部材の前記複数のセクションのうちの前記少なくとも１つの視覚による場所の必要性を減少させる請求項１に記載のシステム。
【請求項８】
前記圧力部材は４つのセクションを含み、各セクションは４つの前記スイッチのうちの１つに関連付けられる請求項１に記載のシステム。
【請求項９】
前記圧力部材は、結果として生成された力を、前記複数のセクションのうちの前記１つに関連付けられる１つのスイッチに伝達する請求項１に記載のシステム。
【請求項１０】
前記圧力部材は、結果として生成された力を、前記複数のセクションのうちの前記１つに関連付けられる少なくとも２つのスイッチに伝達する請求項１に記載のシステム。
【請求項１１】
前記スイッチを作動させることにより、システム動作が開始される請求項１に記載のシステム。
【請求項１２】
前記圧力部材の機械的特性は、前記圧力部材の選択されたセクションに加えられる力を集束させて、所望のスイッチの作動を行うために、空間的に変化する請求項１に記載のシステム。
【請求項１３】
前記複数のスイッチのうちの第１のスイッチと、
前記複数のスイッチのうちの第２のスイッチと、
コントロール回路とを備え、
前記圧力部材にユーザが力を加える結果として、前記圧力部材は、結果として生成された第１の力を、前記圧力部材の前記複数のセクションのうちの１つに関連付けられる第１のスイッチに伝達し、結果として生成された第２の力を、前記圧力部材の前記複数のセクションのうちの別のものに関連付けられる第２のスイッチに伝達し、それにより、前記複数のスイッチのうちの前記第１のスイッチと、前記複数のスイッチのうちの前記第２のスイッチとを作動させ、
前記コントロール回路は複数のスイッチ作動を、推測されるシステム状態として識別する請求項１に記載のシステム。
【請求項１４】
ユーザによって加えられる力によってどのスイッチが作動されるかに影響を及ぼすために、前記加えられる力から生じる前記圧力部材の撓みを局在化させる支柱をさらに含む請求項１に記載のシステム。
【請求項１５】
ユーザによって前記圧力部材に力が加えられるのに応答して、ユーザに対してユーザ入力の確認を提供する請求項１に記載のシステム。
【請求項１６】
インジケータライトをさらに備え、前記インジケータライトは、ユーザによって前記圧力部材に力が加えられると、ユーザに対して前記スイッチの作動の視覚的な確認を提供するために発光するように構成される請求項１に記載のシステム。
【請求項１７】
ユーザに対して前記スイッチの作動の聴覚的な確認を提供するように構成される請求項１に記載のシステム。
【請求項１８】
前記スイッチの作動の前記聴覚的な確認は合成音声である請求項１７に記載のシステム。
【請求項１９】
ユーザ入力を受け入れるためのシステムであって、
第１のコントロールであって、ユーザが該第１のコントロールを作動させるのに応答してメディアソースを選択するように構成される、第１のコントロールと、
作動に２つの自由度を有する第２のコントロールであって、ユーザによって第２のコントロールの第１の自由度が作動するのに応答して、前記選択されたメディアソースのための１組のモードから１つのモードを選択するように構成され、またユーザによる第２のコントロールの第２の自由度の作動はメディアコンテンツアイテム選択を識別するように構成される、第２のコントロールと、
前記メディアソース、モードおよびメディアコンテンツアイテムのうちの１つを表示するためのディスプレイと、
を備えるシステム。
【請求項２０】
複数のスイッチに結合される圧力部材をさらに備え、前記圧力部材は複数のセクションを有し、前記複数のセクションの各セクションは前記複数のスイッチのうちの１つのスイッチに関連付けられ、前記圧力部材は前記複数のスイッチに関連して配置され、前記複数のセクションのうちの１つにユーザによって力が加えられるときに、前記圧力部材は、結果として生成された力を、前記複数のセクションのうちの前記１つに関連付けられるスイッチに伝達し、それにより前記複数のセクションのうちの前記１つに関連付けられる前記スイッチを作動させる請求項１９に記載のシステム。
【請求項２１】
コントロールがシャフトを備え、前記シャフトは前記圧力部材の空所内に取り付けられ、固定具によって固定される請求項１９に記載のシステム。
【請求項２２】
ユーザメディアソース選択、モード選択およびメディアコンテンツアイテム選択のうちの１つを実行する前に、所定の時間だけ遅延させる請求項１９に記載のシステム。
【請求項２３】
ユーザメディアソース選択、モード選択およびメディアコンテンツアイテム選択のうちの１つの発生時に、ユーザに対してオプションのサブメニューを提供する請求項１９に記載のシステム。
【請求項２４】
ディスプレイが、選択された前記メディアソースの視覚的な確認を提供するように構成される請求項１９に記載のシステム。
【請求項２５】
前記ディスプレイは、選択されたメディアソースに基づいて色による合図を表示する請求項２４に記載のシステム。
【請求項２６】
前記ディスプレイはユーザに対して、メディアコンテンツアイテムのブラウジング可能なリスト内の選択されたメディアコンテンツアイテムの相対的な位置を示す位置インジケータを提供し、前記位置インジケータはラジアルフォーマットで表示される請求項２４に記載のシステム。
【請求項２７】
前記ディスプレイはタッチスクリーンであり、前記タッチスクリーンはユーザ入力を処理するように構成される請求項１９に記載のシステム。
【請求項２８】
コントロールがユーザ入力の視覚的な確認を提供するように構成される請求項１９に記載のシステム。
【請求項２９】
前記視覚的な確認はテキストである請求項２８に記載のシステム。
【請求項３０】
前記視覚的な確認はグラフィックスである請求項２８に記載のシステム。
【請求項３１】
前記視覚的な確認は色の変化である請求項２８に記載のシステム。
【請求項３２】
前記コントロールの少なくとも一部は光学的に透過性であり、前記コントロールは前記ディスプレイ上に配置され、前記ディスプレイによって表示される情報は前記コントロールを通して見ることができる請求項２８に記載のシステム。
【請求項３３】
前記視覚的な情報はテキストである請求項３２に記載のシステム。
【請求項３４】
前記視覚的な情報はグラフィックスである請求項３２に記載のシステム。
【請求項３５】
前記視覚的な情報は色の変化である請求項３２に記載のシステム。
【請求項３６】
選択された前記メディアソースの聴覚的な確認を提供するように構成される請求項１９に記載のシステム。
【請求項３７】
選択された前記メディアソースの前記聴覚的な確認は合成音声である請求項３６に記載のシステム。
【請求項３８】
第２のコントロールが前記ディスプレイの前面に配置され、前記第２のコントロールは、ユーザ入力として、ユーザによる第２の自由度の作動を受け入れる請求項１９に記載のシステム。
【請求項３９】
ユーザ入力を受け入れるためのシステムであって、
少なくとも１つのスイッチと、
ディスプレイであって、メディアコンテンツ情報と、前記スイッチ付近の該ディスプレイ上に表示されるコントロールオプションとを含むメニューオプションを表示する、ディスプレイと、
前記ディスプレイ上に配置される圧力部材であって、前記ディスプレイの少なくとも一部が圧力部材を通して見ることが可能であり、圧力部材は、圧力部材の１つのセクション内にユーザによって加えられる力を受け入れるように構成され、さらに、前記少なくとも１つのスイッチに結合され、ユーザによって加えられる力に応答して該圧力部材によって伝達される、結果として生成された力がスイッチを作動させるようにする、圧力部材と、
前記メニューオプションのうちの１つを選択するために、押下および回転のうちの１つを受け入れるように構成される少なくとも１つのコントロールと、
を備えるシステム。
【請求項４０】
前記少なくとも１つのコントロールの少なくとも一部は光学的に透過性であり、前記少なくとも１つのコントロールは前記ディスプレイ上に配置され、前記ディスプレイ上に表示される情報は前記少なくとも１つのコントロールを通して見ることができる請求項３９に記載のシステム。
【請求項４１】
前記ディスプレイはユーザフィードバックを提供するために色を表示する請求項３９に記載のシステム。
【請求項４２】
前記少なくとも１つのコントロールはユーザフィードバックを提供するために色を表示する請求項４０に記載のユーザ入力を受け入れるためのシステム。
【請求項４３】
前記少なくとも１つのコントロールはメディアコンテンツソース、モードおよびメディアコンテンツアイテムのうちの選択された１つのシンボルによる表現を表示する請求項４０に記載のシステム。
【請求項４４】
前記第１のコントロールは作動に２つの自由度を有し、第１の自由度の作動はメディアソースの選択に関連付けられ、第２の自由度はシステム音量のコントロールに関連付けられる、請求項１９に記載のシステム。
【請求項４５】
メディアプレーヤにおいてユーザ入力を受け入れるためのシステムであって、
メディアソース、モードおよびメディアコンテンツアイテムのうちの１つを表示するためのディスプレイと、
作動に２つの自由度を有し、前記ディスプレイ上に配置される少なくとも１つのコントロールであって、コントロールの少なくとも一部は光学的に透過性であり、前記ディスプレイの少なくとも一部が少なくとも１つのコントロールを通して見ることができるようにする、少なくとも１つのコントロールと、
を備えるシステム。
【請求項４６】
自動車において用いるためのメディアプレーヤであって、
複数のスイッチと、
メディアソース、モードおよびメディアコンテンツアイテムのうちの１つの表示するためのディスプレイと、
前記ディスプレイ上に配置される前記複数のスイッチのうちの少なくとも１つに結合される圧力部材であって、前記ディスプレイの少なくとも一部が圧力部材を通して見ることができ、圧力部材の１つのセクションにおいてユーザによって加えられる力を受け取るように構成される、圧力部材と、
２つのコントロールであって、該２つのコントロールはそれぞれ前記ディスプレイの一方の側に配置され、前記コントロールは作動に２つの自由度を有する、２つのコントロールと、
を備えるメディアプレーヤ。
【請求項４７】
ユーザ入力を受け入れるためのシステムにおいて、該ユーザ入力を受け入れるための方法であって、
ユーザ選択を促すためにディスプレイ上に１組のオプションを表示するステップであって、前記ディスプレイの少なくとも一部は圧力部材を通して見ることができ、前記圧力部材は前記ディスプレイの前面に配置される、ステップと、
前記圧力部材の１つのセクションにユーザによって加えられる力に応答してスイッチを作動させるステップであって、前記圧力部材の前記セクションは所望のオプションに対応し、前記スイッチは前記ディスプレイに近接するスイッチのアレイとして配列される、ステップと、
前記スイッチの作動に基づいて、システム状態を変更するステップと、
を含む方法。
【請求項４８】
ユーザによって前記圧力部材の前記セクションに前記力が加えられるのに応答して確認を提供するステップをさらに含む請求項４７に記載の方法。
【請求項４９】
前記確認は聴覚的な確認である請求項４８に記載の方法。
【請求項５０】
前記システム状態に基づいて、システム動作を開始するステップをさらに含む請求項４７に記載の方法。
【請求項５１】
前記スイッチを作動させるステップは、
前記圧力部材によって結果として生成される力が第１のスイッチおよび第２のスイッチに伝達されることにより引き起こされる、前記第１のスイッチの作動および前記第２のスイッチの作動を検出するステップと、
推測されるシステム状態を生成するステップと、
を含む請求項４７に記載の方法。
【請求項５２】
前記推測されるシステム状態はブラウズ機能を開始する請求項５１に記載のユーザ入力を受け入れるための方法。
【請求項５３】
以下のソース、すなわちｕＩｎｄｅｘ、ＡＭ、ＦＭ、衛星ラジオ、コンパクトディスク、ハードドライブ、ｕＭｕｓｉｃ、ＤＶＤ、ＨＶＡＣ／温度調節、コアナビゲーションのうちの１つを選択するために第１のコントロールの第１の自由度の作動を受け入れるステップをさらに含む請求項４７に記載の方法。
【請求項５４】
以下のモード、すなわち、ＡＭプリセット、ＡＭシーク、ＡＭ同調、ＦＭプリセット、ＦＭシーク、ＦＭ同調、ＦＭ放送局、ＦＭ歌、ＦＭジャンル、ＦＭアーティスト、衛星ラジオプリセット、衛星ラジオ局、衛星ラジオカテゴリ、衛星ラジオ局、衛星ラジオ歌、衛星ラジオジャンル、衛星ラジオアーティスト、ＣＤトラック、ＣＤ時間、ＣＤディスク、ＣＤアーティスト、ＣＤ歌、ＣＤジャンル、ハードドライブタイトル、ハードドライブトラック、ハードドライブアーティスト、ハードドライブ時間、ハードドライブジャンル、ｕＭｕｓｉｃトラック、ｕＭｕｓｉｃ時間、ＤＶＤチャプター、ＨＶＡＣ／温度調節温度、ＨＶＡＣ／温度調節ファン、コアナビゲーション起点、コアナビゲーション宛先、コアナビゲーション方向のうちの１つを選択するために、第２のコントロールの第１の自由度の作動を受け入れるステップをさらに含む請求項４７に記載の方法。
【請求項５５】
前記選択されたモードに関連するオプションのリストを表示するステップと、
前記第２のコントロールの前記第１の自由度の作動に基づいて所望のオプションを選択するステップと、
をさらに含む請求項５４に記載の方法。
【請求項５６】
コントロール機構であって、
光学的に透過性の部材と、
ユーザによって回転可能であり、前記光学的に透過性の部材に回転可能に結合されるノブと、
前記ノブ上にある反射性表面と、
前記ノブに向かって光を指向させるための光源と、
少なくとも１つの受光器であって、前記反射性表面によって受光器に向かって反射される前記光源からの光を検出する、少なくとも１つの受光器と、
を備えるコントロール機構。
【請求項５７】
回路をさらに備え、前記回路は前記少なくとも１つの受光器によって受光される、反射された光をコントロール信号に変換し、ユーザが前記ノブを回転させるとき、前記受光器によって検出される前記反射された光はコントロール信号に変換される請求項１に記載のコントロール機構。
【請求項５８】
前記回路素子は、
前記光源によって生成される出力光を変調するための変調器と、
前記光源から前記少なくとも１つの受光器によって受光される前記変調された光を復調することにより、前記変調された光を前記コントロール信号に変換するように構成される、復調器と、
を備える請求項１に記載のコントロール機構。
【請求項５９】
前記反射性表面は反射性表面のバンドを備え、前記反射性表面の前記バンドは非反射性表面のバンドと交互に配置される請求項１に記載のコントロール機構。
【請求項６０】
第１の受光器と第２の受光器とをさらに備え、前記ノブの回転の方向は前記第１の受光器の出力と前記第２の受光器の出力とを比較することにより判定される請求項１に記載のコントロール機構。
【請求項６１】
前記反射性表面の１つのバンドから反射される光を前記第１の受光器によって検出した後に、前記反射性表面の前記バンドのうちの前記１つのバンドから反射される光を前記第２の受光器によって検出するとき、前記回路は前記ノブが第１の方向に回転するものと識別し、
前記反射性表面の１つのバンドから反射される光を前記第２の受光器によって検出した後に、前記反射性表面の前記バンドのうちの前記１つのバンドから反射される光を前記第１の受光器によって検出するとき、前記回路は前記ノブが第２の方向に回転するものと識別する請求項５に記載のコントロール機構。
【請求項６２】
前記ノブの回転は、前記反射性表面の１つのバンドから反射される光が前記第１の受光器によって検出されるときの前記ノブの位置と、前記反射性表面の前記バンドのうちの前記１つのバンドから反射される光が前記第２の受光器によって検出されるときの前記ノブの位置との間の最短の回転方向にある請求項６に記載のコントロール機構。
【請求項６３】
ディスプレイをさらに備え、前記ディスプレイは前記光学的に透過性の部材の背後にあるエリア内に配置され、前記ディスプレイは前記光学的に透過性の部材を通して見ることができる請求項１に記載のコントロール機構。
【請求項６４】
前記ノブは透過性の材料から構成され、前記ディスプレイの少なくとも一部が前記光学的に透過性のノブの背後にあるエリア内に配置され、前記ディスプレイは前記ノブを通して見ることができる請求項８に記載のコントロール機構。
【請求項６５】
前記ノブの表面エリアは透過性材料を有し、前記透過性材料は、前記ノブの表面エリア上に、前記光学的に透過性のノブの背後にあるエリア内に配置される前記ディスプレイの部分を映し出すことができる請求項９に記載のコントロール機構。
【請求項６６】
前記光源は前記光学的に透過性の部材を通して横方向に光を放射する請求項１に記載のコントロール機構。
【請求項６７】
前記光源によって前記ノブに向かって指向される光は赤外光である請求項１に記載のコントロール機構。
【請求項６８】
前記光学的に透過性の部材は、周囲光の光源と前記少なくとも１つの受光器との間に配置され、前記光学的に透過性の部材上のオプティカルコーティングは、電磁スペクトルの所定の範囲にわたって、外部の光源から前記少なくとも１つの受光器への周囲光の透過を遮断する請求項１に記載のコントロール機構。
【請求項６９】
前記光学的に透過性の部材の表面エリアはオプティカルコーティングを被着される請求項１３に記載のコントロール機構。
【請求項７０】
前記光源によって前記ノブに向かって指向される光は電磁エネルギーであり、前記光学的に透過性の部材上の前記オプティカルコーティングは、前記少なくとも１つの受光器が動作する周波数範囲の少なくとも一部において、前記電磁エネルギーの透過を低減する請求項１３に記載のコントロール機構。
【請求項７１】
前記光学的に透過性の部材上の前記オプティカルコーティングは、前記光源の周波数範囲および前記少なくとも１つの受光器が応答する周波数範囲の両方に共通である電磁スペクトルの周波数範囲内の電磁エネルギーの透過を低減する請求項１５に記載のコントロール機構。
【請求項７２】
前記光学的に透過性の部材は染料を含み、前記染料は、電磁スペクトルの所定の範囲にわたって、外部光源から前記少なくとも１つの受光器への光の透過を遮断できるようにする請求項１３に記載のコントロール機構。
【請求項７３】
前記少なくとも１つの受光器はオプティカルコーティングを被着され、前記少なくとも１つの受光器上の前記オプティカルコーティングは、外部光源から前記少なくとも１つの受光器への周囲光の透過を遮断できるようにする請求項１３に記載のコントロール機構。
【請求項７４】
前記光学的に透過性の部材は、ポリカーボネート材料、アクリル、環状オレフィン、熱硬化材料およびプラスチックのうちの１つから構成される請求項１に記載のコントロール機構。
【請求項７５】
前記光源および前記少なくとも１つの受光器は、前記光学的に透過性の部材を通して横方向に光を送受信できるように、前記光学的に透過性の部材に相対する場所に配置される請求項１に記載のコントロール機構。
【請求項７６】
自動車内で動作する請求項１に記載のコントロール機構。
【請求項７７】
メディアプレーヤ用のコントロール機構として動作する請求項１に記載のコントロール機構。
【請求項７８】
携帯装置用のコントロール機構として動作する請求項１に記載のコントロール機構。
【請求項７９】
ユーザが前記ノブを押下するとき、前記ノブは前記光学的に透過性の部材に力を伝達し、前記光学的に透過性の部材は、結果として生成された力を、所望のコントロール機能に関連付けられるスイッチに伝達する請求項１に記載のコントロール機構。
【請求項８０】
音声認識、動き検出および近接検出器装置のうちの１つをさらに含み、前記音声認識、動き検出および近接検出器装置のうちの１つからさらに別のユーザ入力を受け取る請求項１に記載のコントロール機構。
【請求項８１】
近接検出器をさらに備え、前記近接検出器は前記コントロール機構の近くにあるユーザの手の存在を検出し、該コントロール機構の近くにユーザの手が置かれるとき、前記コントロール機構は前記ディスプレイの情報コンテンツを変更するように構成される請求項１に記載のコントロール機構。
【請求項８２】
前記情報コンテンツは１組の少なくとも１つのメニューオプションである請求項２６に記載のコントロール機構。
【請求項８３】
前記近接検出器を利用するコントロール機構は車内で用いられるマルチメディア装置の情報コンテンツを変更するように構成される請求項２６に記載のコントロール機構。
【請求項８４】
該コントロール機構に近接するユーザの手の存在を検出することに基づいて、表示される前記情報コンテンツを増加させる請求項２６に記載のコントロール機構。
【請求項８５】
該コントロール機構に近接するユーザの手の存在が検出されないことに基づいて、表示される前記情報コンテンツを減少させる請求項２６に記載のコントロール機構。
【請求項８６】
前記近接センサはさらに送信機および受信機を備え、該コントロール機構にユーザの手が近くにあることを指示する信号を検知することに加えて、前記受信機はリモートコントロールによって送信される信号を検出する請求項２６に記載のコントロール機構。
【請求項８７】
ユーザの手が近くにあることを指示する前記信号および前記リモートコントロールによって送信される前記信号が種々の変調方式に従って変調されるとき、前記受信機は、両方の信号の変調および符号化のうちの１つを識別することにより、ユーザの手が近くにあることを指示する前記信号と前記リモートコントロールによって送信される前記信号とを区別する請求項３１に記載のコントロール機構。
【請求項８８】
フリクションスリーブをさらに備え、前記フリクションスリーブは前記ノブの周囲に固定され、それにより、前記ノブのための保持機構内を回転可能に摺動する摩擦表面を設ける請求項１に記載のコントロール機構。
【請求項８９】
前記フリクションスリーブは、低い摩擦係数を有する材料から構成される請求項２６に記載のコントロール機構。
【請求項９０】
低い摩擦係数の前記材料はＰＴＦＥである請求項３３に記載のコントロール機構。
【請求項９１】
反射性表面を有する前記ノブの部分と前記光学的に透過性の部材との間に空隙を残して、前記フリクションスリーブは前記光学的に透過性の部材に接触している請求項３４に記載のコントロール機構。
【請求項９２】
捕捉部材をさらに備え、前記捕捉部材は前記ノブの周囲に取り付けられ、前記捕捉部材は前記光学的に透過性の部材の後側に位置決め圧力を加え、それにより前記光学的に透過性の部材に対して前記ノブを適所に保持する請求項１に記載のコントロール機構。
【請求項９３】
前記光源および前記少なくとも１つの受光器のうちの少なくとも１つは前記光学的に透過性の部材に取り付けられる請求項１に記載のコントロール機構。
【請求項９４】
コントロール機構であって、
回転組み合わせコントロールのシャフトに接続される透過性のノブと、
前記ノブの背後にあるエリア内に配置され、前記ノブを通して見ることができる出力を映し出すディスプレイと、
ユーザによって加えられる力を、ユーザによって望まれる入力選択に関連付けられる前記位置コントロールロケーションを表すコントロール信号に変換する回路と、
を備えるコントロール機構。
【請求項９５】
前記ノブの多数の位置コントロールロケーションと多数のユーザ入力オプションとの間には空間的な関係があり、前記回転組み合わせコントロールは、所望のユーザ入力を表す前記ノブの中央の場所からある距離において前記ノブに対してユーザによって加えられる直接的な力から生じる横向きの力ベクトルを受け取る請求項３９に記載のコントロール機構。
【請求項９６】
前記ノブはユーザによって回転可能であり、ユーザによって前記ノブが回転するのに応答して、前記コントロール機構はコントロール指示を識別する請求項３９に記載のコントロール機構。
【請求項９７】
該コントロール機構のコントロール指示の識別に応答して、１組のユーザ入力オプションを表示し、個々の前記入力オプションは前記ノブの回転位置に関連付けられる請求項４１に記載のコントロール機構。
【請求項９８】
前記ディスプレイは前記ノブの前記回転位置に関連付けられる前記１組の入力オプションを表示するように構成され、前記入力オプションは前記回転圧力部材を通してユーザによって見ることが可能である請求項４２のコントロール機構。
【請求項９９】
ユーザ入力を受け入れるためのシステムであって、
複数のスイッチと、
前記複数のスイッチに結合される光学的に透過性の部材であって、光学的に透過性の部材は複数のセクションを有し、前記複数のセクションの各セクションは前記複数のスイッチのうちの１つのスイッチに関連付けられる、光学的に透過性の部材とを備え、
前記光学的に透過性の部材は前記複数のスイッチに関連して配置され、前記複数のセクションのうちの１つにユーザによって力が加えられるとき、前記圧力部材は、結果として生成された力を、前記複数のセクションのうちの１つに関連付けられる１つのスイッチに伝達し、
前記複数のスイッチのうちのスイッチがユーザによって加えられる力の強度を検出する、システム。
【請求項１００】
前記複数のスイッチのうちの第１のスイッチと、
前記複数のスイッチのうちの第２のスイッチと、
コントロール回路とを備え、
前記光学的に透過性の部材に対してユーザによって力が加えられる結果として、前記光学的に透過性の部材は、結果として生成された第１の力を、前記光学的に透過性の部材の前記複数のセクションのうちの１つに関連付けられる第１のスイッチに伝達し、結果として生成された第２の力を、前記光学的に透過性の部材の複数のセクションのうちの別のものに関連付けられる第２のスイッチに伝達し、それにより前記複数のスイッチのうちの前記第１のスイッチの状態変化および前記複数のスイッチのうちの前記第２のスイッチの状態変化を引き起こし、
前記コントロール機構は、
前記結果として生成された第１の力が前記結果として生成された第２の力よりも大きい場合には、第１のシステム状態を推測し、
前記結果として生成された第２の力が前記結果として生成された第１の力よりも大きい場合には、第２のシステム状態を推測する請求項４４に記載のシステム。
【請求項１０１】
光学的に透過性の部材に回転するように結合され、ユーザによって回転可能であり、交互に配置される反射性表面のバンドと非反射性表面のバンドとを有するノブを有する、コントロール機構において、ユーザ入力を受け入れるための方法であって、
前記ノブ上にある前記反射性表面の前記バンドから、光源から受光される光を少なくとも１つの受光器に反射するステップと、
前記少なくとも１つの受光器によって、前記ノブ上にある前記反射性表面の前記バンドによって反射される光を検出するステップと、
を含む方法。
【請求項１０２】
前記検出された光をコントロール信号に変換するステップをさらに含む請求項４６に記載の方法。
【請求項１０３】
前記光源によって送られる光を変調器によって変調するステップと、
前記少なくとも１つの受光器によって前記光源から受光される前記変調された光を、復調器によって前記コントロール信号に復調するステップと、
をさらに含む請求項４７に記載の方法。
【請求項１０４】
前記コントロール機構は第１の受光器および第２の受光器を備え、
前記反射性表面の前記バンドから反射される光を前記第１の受光器によって検出した後に、前記反射性表面の前記バンドから反射される光を前記第２の受光器によって検出するとき、前記ノブが第１の方向に回転するものと識別するステップと、
前記反射性表面の前記バンドから反射される光を前記第２の受光器によって検出した後に、前記反射性表面の前記バンドから反射される光を前記第１の受光器によって検出するとき、前記ノブが第２の方向に回転するものと識別するステップと、
をさらに含む請求項４６に記載の方法。
【請求項１０５】
前記光学的に透過性の部材の背後にあるエリア内にディスプレイが配置され、
前記ディスプレイが前記光学的に透過性の部材を通して見るための画像を映し出すステップをさらに含む請求項４６に記載の方法。
【請求項１０６】
前記ノブは透過性の材料から構成され、前記ノブの背後にディスプレイが配置され、
前記ディスプレイが前記ノブを通して見るための画像を表示するステップをさらに含む請求項４６に記載の方法。
【請求項１０７】
前記光学的に透過性の部材を通して横向きに光を放射するステップをさらに含む請求項４６に記載の方法。
【請求項１０８】
前記光学的に透過性の部材はオプティカルコーティングを有し、前記オプティカルコーティングが、電磁スペクトルの所定の範囲にわたって、周囲光が外部の光源から前記少なくとも１つの受光器に伝送されるのを防ぐステップをさらに含む請求項４６に記載の方法。
【請求項１０９】
前記光学的に透過性の部材は染料を含み、
前記染料が、電磁スペクトルの所定の範囲にわたって、周囲光が外部の光源から前記少なくとも１つの受光器に伝送されるのを防ぐステップをさらに含む請求項４６に記載の方法。
【請求項１１０】
ユーザが前記ノブを押下するのに応答して、結果として生成された力を、所望のコントロール機能に関連付けられる１つのスイッチに伝達するステップをさらに含み、
前記結果として生成された力は前記ノブに対してユーザが力を加えることにより引き起こされる請求項４６に記載の方法。
【請求項１１１】
音声認識装置、動き検出装置および近接検出装置のうちの１つからさらに別のユーザ入力を受け入れるステップをさらに含む請求項４６に記載の方法。
【請求項１１２】
音声認識装置、動き検出装置および近接検出装置のうちの１つから受け入れた前記さらに別のユーザ入力に基づいて、前記ユーザ入力の値を変更するステップをさらに含む請求項４６に記載の方法。
【請求項１１３】
前記コントロール機構に結合される近接検出器に近接するユーザの手の存在を検出することに基づいて、前記コントロール機構が前記ディスプレイの前記情報コンテンツを変更するステップをさらに含む請求項５７に記載の方法。
【請求項１１４】
前記コントロール機構に近接するユーザの手の存在を検出することに基づいて、前記コントロール機構は少なくとも１つのメニューオプションを変更する請求項５８に記載の方法。
【請求項１１５】
前記コントロール機構に近接するユーザの手の存在を検出することに基づいて、前記コントロール機構は表示される前記情報コンテンツを増加させる請求項５８に記載の方法。
【請求項１１６】
前記コントロール機構に近接するユーザの手の存在が検出されないことに基づいて、前記コントロール機構は表示される前記情報コンテンツを減少させる請求項５８に記載の方法。
【請求項１１７】
前記コントロール機構に対してユーザの手が近くにあることを指示する信号を検知することに加えて、前記受信機はリモートコントロールによって送信される信号を検出する請求項５８に記載の方法。
【請求項１１８】
ユーザの手が近くにあることを指示する前記信号および前記リモートコントロールによって送信される前記信号が種々の変調方式に従って変調されるとき、前記受信機は、両方の信号の変調および符号化のうちの１つを識別することにより、ユーザの手が近くにあることを指示する前記信号と前記リモートコントロールによって送信される前記信号とを区別する請求項６２に記載の方法。
【請求項１１９】
ユーザ入力を受け入れるためのシステムであって、
複数のスイッチと、
前記複数のスイッチに結合される圧力部材であって、圧力部材は複数のセクションを有し、該複数のセクションの各セクションは前記複数のスイッチのうちの１つのスイッチに関連付けられる、圧力部材とを備え、
前記圧力部材は前記複数のスイッチに関連して配置され、前記複数のセクションのうちの１つにユーザによって力が加えられるとき、前記圧力部材は、結果として生成された力を、前記複数のセクションのうちの前記１つに関連付けられるスイッチに伝達し、それにより、前記複数のセクションのうちの前記１つに関連付けられる前記スイッチを作動させるようにし、前記複数のスイッチのうちの少なくとも１つのスイッチは前記圧力部材とフレームとの間に配置される、システム。
【請求項１２０】
前記圧力部材の前記複数のセクションのうちの前記１つにユーザによって圧力が加えられるのに応答して、前記圧力部材が該圧力部材の中立位置から動かされるとき、前記複数のセクションのうちの前記１つに関連付けられる１つのスイッチのアクチュエータによって、前記システムが前記複数のセクションのうちの前記１つに関連付けられる前記スイッチの作動を識別するようになる請求項６４に記載のシステム。
【請求項１２１】
前記圧力部材を前記フレームに移動可能に結合する、浮いた状態で取り付けられるリテーナをさらに備える請求項６４に記載のシステム。
【請求項１２２】
前記浮いた状態で取り付けられるリテーナは圧縮性スペーサを含む請求項６６に記載のシステム。
【請求項１２３】
ユーザ入力を受け入れるためのシステムにおいて、該ユーザ入力を受け入れるための方法であって、ユーザによって圧力部材の複数のセクションのうちの１つに圧力が加えられるのに応答して、前記圧力部材の１つのセクションが該圧力部材の中立位置から動かされるとき、前記圧力部材の前記複数のセクションのうちの前記１つに関連付けられる１つのスイッチのアクチュエータによって、該システムが前記圧力部材の複数のセクションのうちの前記１つに関連付けられる前記スイッチの作動を識別するようになる、方法。
【請求項１２４】
コントロール機構であって、
ユーザ入力エリアと、
コントローラと、
近接検出器とを備え、前記近接検出器は前記ユーザ入力エリア付近のユーザの手の存在を検出し、該コントロール機構の近くにユーザの手が置かれるとき、前記コントローラはディスプレイの情報コンテンツを変更するように構成されるコントロール機構。
【請求項１２５】
前記情報コンテンツは１組の少なくとも１つのメニューオプションを含む請求項６９に記載のコントロール機構。
【請求項１２６】
前記コントローラは車において用いられるマルチメディア装置の情報コンテンツを変更するように構成される請求項６９に記載のコントロール機構。
【請求項１２７】
前記コントローラは、該コントロール機構に近接するユーザの手の存在を検出することに基づいて、表示される前記情報コンテンツを増加させるように構成される請求項６９に記載のコントロール機構。
【請求項１２８】
前記コントローラは、該コントロール機構に近接するユーザの手の存在が検出されないことに基づいて、表示される前記情報コンテンツを減少させるように構成される請求項６９に記載のコントロール機構。
【請求項１２９】
前記近接センサはさらに送信機および受信機を備え、該コントロール機構の近くにユーザの手があることを指示する信号を検出することに加えて、前記受信機はリモートコントロールによって送信される信号を検出する請求項６９に記載のコントロール機構。
【請求項１３０】
ユーザの手が近くにあることを指示する前記信号および前記リモートコントロールによって送信される前記信号が種々の変調方式に従って変調されるとき、前記受信機は、両方の信号の変調および符号化のうちの１つを識別することにより、ユーザの手が近くにあることを指示する前記信号と前記リモートコントロールによって送信される前記信号とを区別する請求項７４に記載のコントロール機構。
【請求項１３１】
自動車内で動作する請求項６に記載のコントロール機構。
【請求項１３２】
自動車内で動作する請求項７に記載のコントロール機構。
【請求項１３３】
メディアプレーヤ用のコントロール機構として動作する請求項６に記載のコントロール機構。
【請求項１３４】
メディアプレーヤ用のコントロール機構として動作する請求項７に記載のコントロール機構。
【請求項１３５】
携帯装置用のコントロール機構として動作する請求項６に記載のコントロール機構。
【請求項１３６】
携帯装置用のコントロール機構として動作する請求項７に記載のコントロール機構。
【請求項１３７】
コントロール機構であって、
ユーザ入力エリアと、コントローラと、近接検出器と、タッチ検知装置と、を備え、
前記ユーザ入力エリア付近に物体が置かれたとき、前記近接検出器は前記物体の存在を検出し、前記コントローラがディスプレイの情報コンテンツを変更するように構成され、前記近接検出器は、前記タッチ検知装置の特定のエリアが前記物体によってタッチされたことの付加的入力を提供する、コントロール機構。
【請求項１３８】
前記タッチ検知装置が圧力部材を含む請求項１３７に記載のコントロール機構。
【請求項１３９】
前記タッチ検知装置がタッチスクリーンを含む請求項１３７に記載のコントロール機構。
【請求項１４０】
コントロール機構であって、
ディスプレイと、前記ディスプレイに近接して配置されるコントロールと、コントローラと、近接検出器と、タッチ検知装置と、を備え、
前記近接検出器が前記コントロール機構付近の物体の存在を検出したとき、前記コントローラは前記ディスプレイの情報コンテンツを変更するように構成され、前記タッチ検知装置およびコントロールも前記ディスプレイの情報コンテンツを変更することが可能である、コントロール機構。
【請求項１４１】
前記タッチ検知装置が圧力部材を含む請求項１４０に記載のコントロール機構。
【請求項１４２】
前記タッチ検知装置がタッチスクリーンを含む請求項１４０に記載のコントロール機構。
【請求項１４３】
コントロール機構であって、
ディスプレイと、コントローラと、近接検出器と、を備え、
前記近接検出器が前記コントロール機構付近の物体の存在を検出したとき、前記コントローラは前記ディスプレイの情報コンテンツを第１組の情報から第２組の情報に変更するように構成され、前記第２組の情報は前記第１組の情報の全情報プラス付加的情報を含む、コントロール機構。
【請求項１４４】
タッチされたとき、前記ディスプレイの情報コンテンツに変化を生じさせることが可能なタッチ検知装置をさらに含む、請求項１４３に記載のコントロール機構。
【請求項１４５】
前記ディスプレイの情報コンテンツに変化を生じさせることが可能なコントロールをさらに含む、請求項１４４に記載のコントロール機構。
【請求項１４６】
前記ディスプレイの情報コンテンツに変化を生じさせることが可能なコントロールをさらに含む、請求項１４３に記載のコントロール機構。
【請求項１４７】
コントロール機構であって、
ディスプレイと、コントローラと、近接検出器と、を備え、
前記近接検出器が前記コントロール機構付近の物体の存在を検出したとき、前記コントローラは前記ディスプレイに代替的コントロールを提示させるように構成される、コントロール機構。
【請求項１４８】
タッチされたとき、前記ディスプレイの情報コンテンツに変化を生じさせることが可能なタッチ検知装置をさらに含む、請求項１４７に記載のコントロール機構。